(57)【要約】【課題】コップや哺乳ビンなどの細長い容器であっても、短期間で十分に乾燥することができる食器乾燥器を提供する。【解決手段】本食器乾燥器はケース４に収容された食器かご３上に細長い容器を乾燥する温風スタンド６が設けられ、この温風スタンド６は食器かご３に着脱自在に立設され、倒立状態の細長い容器に挿入され、その内部に温風を送る中空状のスタンド１３と、食器かご３に着脱自在に取り付けられ、一端側がケース４に開口する温風吹出口１１に対向して開口し、他端側がスタンド１３の温風取入口１３ａに対向して開口するダクト１４を備える。【選択図】  図２
2006296964.tif 000002
【特許請求の範囲】
【請求項１】
本体と、
この本体上に設けられ食器かごに載置された食器類を収容するケースと、
このケースに温風を供給する温風供給装置を備えた食器乾燥器において、
前記食器かご上には細長い容器を乾燥する温風スタンドが設けられ、
この温風スタンドは前記食器かごに着脱自在に立設され、倒立状態の細長い容器に挿入され、その内部に温風を送る中空状のスタンドと、
前記食器かごに着脱自在に取り付けられ、一側が前記ケースに開口する温風吹出口に対向して開口し、他側が前記スタンドの温風取入口に対向して開口するダクトを備えたことを特徴とする食器乾燥器。
【請求項２】
前記スタンドの温風流出口側の先端部には、細長い容器の底面と点接触するように尖った一対の支持部が設けられていることを特徴とする請求項１に記載の食器乾燥器。
【請求項３】
前記温風取入口の外周に設けられた基部の上表面には、倒立状態の細長い容器の開口端面を支持し前記スタンドを囲うように複数状のリブが設けられかつ、このリブ間に水抜き孔が設けられたことを特徴とする請求項１または２に記載の食器乾燥器。
【請求項４】
前記温風吹出口の前方近傍には複数の風向制御用立上りが設けられ、この立上り間の通気可能な位置に対向して前記ダクトの開口を位置させるための目印が設けられたことを特徴とする請求項１ないし３のいずれか１項に記載の食器乾燥器。
【発明の詳細な説明】
【技術分野】
【０００１】
本発明は食器乾燥器に係り、特に食器かごに細長い容器を乾燥する温風スタンドが取り付けられた食器乾燥器に関する。
【背景技術】
【０００２】
一般に食器類を迅速かつ衛生的に乾燥するために、食器かごが収納されたケースに温風を供給する食器乾燥器が用いられている。
【０００３】
さらに、コップや哺乳ビンなどの細長い容器を乾燥するために食器かご上にコップ立てを取り付けるものがある（特許文献１）。
【０００４】
この特許文献１のものは、単に倒立状態のコップにコップ立てを挿入して支持するものであるため、細長いコップの内部まで温風が十分行渡らず、乾燥が不十分であり、また、長い乾燥時間を要した。
【特許文献１】実開昭６２−２３５６０号公報
【発明の開示】
【発明が解決しようとする課題】
【０００５】
本発明は上述した事情を考慮してなされたもので、コップや哺乳ビンなどの細長い容器であっても、短時間で十分に乾燥することができる食器乾燥器を提供することを目的とする。
【課題を解決するための手段】
【０００６】
上述した目的を達成するため、本体と、この本体上に設けられ食器かごに載置された食器類を収容するケースと、このケースに温風を供給する温風供給装置を備えた食器乾燥器において、前記食器かご上には細長い容器を乾燥する温風スタンドが設けられ、この温風スタンドは前記食器かごに着脱自在に立設され、倒立状態の細長い容器に挿入され、その内部に温風を送るスタンドと、前記食器かごに着脱自在に取り付けられ、一側が前記ケースに開口する温風吹出口に対向して開口し、他側が前記スタンドの温風取入口に対向して開口するダクトを備えたことを特徴とする。
【発明の効果】
【０００７】
本発明に係る食器乾燥器によれば、コップや哺乳ビンなどの細長い容器であっても、短期間で十分に乾燥することができる食器乾燥器を提供することができる。
【発明を実施するための最良の形態】
【０００８】
以下、本発明の一実施形態に係る食器乾燥器について添付図面を参照して説明する。
【０００９】
図１は本発明に係る食器乾燥機の蓋体を開けた状態での正面図であり、図２はその側面断面図、図３はシンク及び食器かごを除去して示すその平面図である。
【００１０】
図１〜図３に示すように、本発明に係る食器乾燥器１は、本体２と、この本体２上に設けられ、食器かご３に載置された食器類（図示せず）を収容するケース４と、このケース４に温風を供給する温風供給装置５を備え、さらに、食器かご４上には細長い容器Ｖを乾燥する温風スタンド６が取り付けられている。
【００１１】
本体２は不透明合成樹脂製で扁平矩容器状をなし、その内部には、温風供給装置５が収容されており、この温風供給装置５はファン７ａとモータ７ｂからなる送風機７と、この送風機７に通風路８を介して連通されるヒータ９からなり、本体２の底部に設けられた空気吸込口１０から吸い込まれた空気を加熱して、温風吹出口１１からケース４に吹き出すようになっている。
【００１２】
また、ケース４は空気排出口４ａ１が設けられ、ケースの一部を構成するように膨出する透明合成樹脂製の固定ケース部４ａに、ケースの一部を構成するように膨出する透明合成樹脂製の蓋体４ｂが、回動自在に軸支されて形成されている。なお、本実施形態ではケースを固定ケース部と蓋体で形成する例で説明したが、ケースは一体形状のものであってもよい。
【００１３】
さらに、空気吹出口１１の前方近傍には風向制御用立上１１ａが立設されており、吹き出される温風の方向を制御するために立上１１ａ間の一部は閉塞されており、後述するダクト１４の開口１４ａに対向する立上１１ａ間は通気可能になっており、さらに、この通気可能な位置には、位置合わせ用の丸い突起の目印ｍが設けられている。
【００１４】
本体２の上部開口部には食器類から落ちる水滴などを受けるステンレス製のシンク１２が設けられており、さらに、このシンク１２には食器かご３が載置されている。
【００１５】
図４に示すように、この食器かご３はステンレス製で、太めの線材からなるかご枠３ａに、所定の間隔を設けて網状かつかご状に形成した多数の線材３ｂを取り付けて形成されている。
【００１６】
食器かご４上のほぼ中央部には、温風スタンド６が着脱自在に取り付けられており、図５ないし図７（ａ）、（ｂ）に示すように、温風スタンド６はスタンド１３とダクト１４で構成され、スタンド１３は中空で略四角錐台形柱状をなし、下部には温風取入口１３ａが設けられた平板長方形状の基部１３ｂを備え、この基部１３ｂの上表面には、倒立状態の細長い容器の開口端面を支持しスタンド１３を囲うように複数状のリブ１３ｂ１が設けられ、さらに、このリブ１３ｂ１間に水抜き孔１３ｂ２が設けられ、また、短辺側端部には、取り付けられ時線材３ｂと係合する取付係合部１３ｂ３が設けられている。また、スタンド１３の温風流出口１３ｃの対向する両先端部には、細長い容器の底面と点接触するように尖った支持部１３ｄが設けられている。
【００１７】
一方、ダクト１４は断面が長方形状をなし、一端にはケース４に開口する温風吹出口１１に対向する開口１４ａが設けられ、他端近傍にはスタンド１３の温風取入口１３ａに対向して開口１４ｂが設けられ、さらに、この開口１４ｂの周囲には取り付け時、食器かご３の線材３ｂによって支持される支持片部１４ｃおよび基部１３ｂの短辺部が係合、位置決めされる一対のリブ４ｄが設けられている。
【００１８】
なお、図中符号１５は包丁が抜き差し自在に収納される包丁ケースであり、符号１６は本体に着脱自在に挿入されシンクから落下する水を受ける水受けカップであり、符号１７はシンクが載置される合成樹脂製に仕切板である。
【００１９】
本実施形態の食器乾燥器は、上記構造を有するので、温風スタンドの使用時には、図８に示すように、はじめに目印ｍに対応する位置の線材３ｂ間にダクト１４を挿入し、線材３ｂで支持片部１４ｃを支持して、ダクト１４を食器かご３に仮保持する。しかる後、図９（ａ）に示すように、一対のリブ４ｄを位置決めに使用し、スタンド１３を温風取入口１３ａと開口１４ｂが一致するようにして支持片部１４ｃ上に載せ、図９（ｂ）に示すように、取付係合部１３ｂ３を線材３ｂ間の下側に挿入し、取付係合部１３ｂ３のスプリングバックを利用して、取付係合部１３ｂ３を線材３ｂに係合させ、温風スタンド６を食器かご３に取り付ける。これにより、ダクト１４とスタンド１３が線材３ｂを介して食器かご３に取り付けられる。なお、スタンド１３の取り外し時は、図９（ｃ）に示すように、取付係合部１３ｂ３のスプリングバックの力に抗して、取付係合部１３ｂ３を内方に変形させて、線材３ｂとの係合を解除して、取り外す。
【００２０】
さらに、温風スタンド６の取り付け完了後、図２に示すように、倒立状態の細長い容器例えば哺乳ビンＶにスタンド１３を挿入し、開口端面をリブ１３ｂ１で支持させて、基部１３ｂ上に載置する。このとき、支持部１３ｄは哺乳ビンＶの底面には接触していないが、温風流出口１３ｃは、哺乳ビンＶの上部に達している。
【００２１】
温風供給装置５を作動させて、空気吸込口１０から吸い込まれた空気を加熱して、空気吹出口１１からケース４に吹き出し、食器類を乾燥させる。
【００２２】
一方、ダクト１４、温風取入口１３ａを介してスタンド１３に取り入れられた温風は、細長い哺乳ビンＶの底面にまで達して、底面を含む哺乳ビンＶの内部を迅速かつ確実に乾燥する。このとき、哺乳ビンＶから水滴がたれることがあっても、水抜き孔１３ｂ２を介してシンク１２に導かれる。
【００２３】
また、図１０に示すように、比較的短い小型の哺乳ビンＶ１を乾燥する場合には、この哺乳ビンＶ１は、スタンド１３の支持部１３ｄで支持され、その支持がビン底面と線接触であるので、底部も確実に乾燥することができる。
【００２４】
なお、上記実施形態では、ダクトを直立させた例で説明したが、傾斜状態で立設させてもよく、また、ダクトは食器かごに直接取り付けてもよい。
【００２５】
上述した本実施形態の食器乾燥器によれば、コップや哺乳ビンなどの細長い容器であっても、短期間で十分に乾燥することができる食器乾燥器が実現される。
【図面の簡単な説明】
【００２６】
【図１】本発明の食器乾燥機の蓋体を開けた状態を示す正面図。
【図２】本発明の食器乾燥機の側面断面図。
【図３】本発明の食器乾燥機のシンク及び食器かごを除去して示す平面図。
【図４】本発明の食器乾燥機に用いられる温風スタンドを取り付けた食器かごの平面図。
【図５】本発明の食器乾燥機に用いられるスタンドの側面図。
【図６】本発明の食器乾燥機に用いられるスタンドの平面図。
【図７】本発明の食器乾燥機に用いられる温風スタンドを分解して示し、（ａ）はスタンド、（ｂ）ダクトの斜視図。
【図８】本発明の食器乾燥機に用いられる温風スタンドの取り付け状態を示す説明図。
【図９】（ａ）〜（ｃ）は本発明の食器乾燥機に用いられる温風スタンドの着脱状態を示す説明図。
【図１０】本発明の食器乾燥機の使用状態を示す概念図。
【符号の説明】
【００２７】
１  食器乾燥器
２  本体
３  食器かご
４  ケース
４ａ  固定ケース部
４ｂ  蓋体
５  温風供給装置
６  温風スタンド
７  送風機
１０  空気吸込口
１１  温風吹出口
１１ａ  風向制御用立上
１２  シンク
１３  スタンド
１３ａ  温風取入口
１３ｂ  基部
１３ｂ１  リブ
１３ｂ２  水抜き孔
１３ｃ  温風流出口
１３ｄ  支持部
１４  ダクト
１４ａ，１４ｂ  開口
１４ｃ  支持片部
【図１】
2006296964.tif 000003
【図２】
2006296964.tif 000004
【図３】
2006296964.tif 000005
【図４】
2006296964.tif 000006
【図５】
2006296964.tif 000007
【図６】
2006296964.tif 000008
【図７】
2006296964.tif 000009
【図８】
2006296964.tif 000010
【図９】
2006296964.tif 000011
【図１０】
2006296964.tif 000012